(57)【要約】【課題】  主信号光に損失を与えず、監視光に高い出力レベルやモニタ受光器に広いダイナミックレンジを必要とせずに、出力コネクタ外れを自動的に検出して光増幅器のシャットダウンを行い、障害の原因が取り除かれた後、自動的に再起動を行う光増幅器の自動制御方法【解決手段】  レーザダイオードＬＤ７から出力された監視光は、カプラ４−１を経て、光増幅器１からの信号光出力と合波／分波フィルタ２で合波される。このＬＤ７は光増幅器１の増幅帯域外の波長の光を常に出力し続けている。合波／分波フィルタ２で合波された光は、出力コネクタ３を通じて出力される。フォトダイオードＰＤ５−１は、ＬＤ７の出力コネクタ３からの反射光を検知し、その出力が所定のレベルを超えた場合に、レベル検出器６−１は、出力停止信号８を光増幅器１に出力する。また、ＰＤ５−１の出力が上記のレベルまたは別に定めた所定のレベルを下回った場合には、出力停止信号の出力を停止するかまたは再起動の信号を出力する。【選択図】      図１ 
2006032417.tif 000002
【特許請求の範囲】
【請求項１】
出力光導波路からのフレネル反射光を検出するために、増幅する信号波長の帯域外に波長を有する監視光を前記出力導波路の光出力方向に合波する手段、
を備えることを特徴とする光増幅器。
【請求項２】
増幅する信号波長帯域外の波長を有する監視光を出力光導波路の光出力方向に合波し、前記出力光導波路からの前記監視光のフレネル反射光を分波する手段、
を備えることを特徴とする光増幅器。
【請求項３】
増幅する信号波長の帯域外に波長を有する監視光を出力光導波路の光出力方向に合波し、前記出力光導波路からの前記監視光のフレネル反射光を分波する手段と、
分波した前記フレネル反射光を検出し、前記信号増幅の機能を制御する手段、
を備えることを特徴とする光増幅器。
【請求項４】
増幅する信号波長の帯域外に波長を有する監視光を出力光導波路の光出力方向に合波し、前記出力光導波路からの前記監視光のフレネル反射光を分波する手段と、
分波した前記フレネル反射光のレベルを検出する手段と、
前記検出したレベルに応じて前記信号増幅の機能を制御する手段、
を備えることを特徴とする光増幅器。
【請求項５】
増幅する信号波長の帯域外に波長を有する監視光を出力光導波路の光出力方向に合波し、前記出力光導波路からの前記監視光のフレネル反射光を分波する手段と、
分波した前記フレネル反射光のレベルを前記監視光の出力レベルで除した比を検出する手段と、
前記レベル比に応じて前記信号増幅の機能を制御する手段、
を備えることを特徴とする光増幅器。
【請求項６】
制御する前記信号光増幅の機能が、
前記光増幅の停止及び再起動である、
ことを特徴とする請求項３乃至５のいずれかに記載の光増幅器。
【請求項７】
前記検出したレベルまたは前記レベル比が第１の所定の値を超えた時、前記増幅を停止し、
前記検出したレベルまたは前記レベル比が第２の所定の値を下回った時、前記増幅を再起動する、
ことを特徴とする請求項３乃至５のいずれかに記載の光増幅器。
【請求項８】
前記監視光は、
変調を受けており、
前記フレネル反射光のレベルを検出する手段が、
前記フレネル反射光の光電変換信号を前記変調の周波数帯域でフィルタリングして透過する電気的フィルタを備える、
ことを特徴とする請求項３乃至７のいずれかに記載の光増幅器。
【請求項９】
前記監視光の光源は、
半導体レーザである、
ことを特徴とする請求項３乃至８のいずれかに記載の光増幅器。
【請求項１０】
前記監視光の光源は、
前記光増幅器への入力光信号から分波して抽出した前記光信号が占有する波長帯域外の波長有した光信号である、
ことを特徴とする請求項３乃至８のいずれかに記載の光増幅器。
【請求項１１】
増幅する信号波長の帯域外に波長を有する監視光を出力光導波路の光出力方向に合波し、
前記出力光導波路からの前記監視光のフレネル反射光を分波し、
分波した前記フレネル反射光のレベルを検出して前記信号増幅の機能を制御する、
ことを特徴とする光増幅器の増幅機能自動制御方法。
【請求項１２】
増幅する信号波長の帯域外に波長を有する監視光を出力光導波路の光出力方向に合波し、
前記出力光導波路からの前記監視光のフレネル反射光を分波し、
分波した前記フレネル反射光のレベルを検出し、
前記検出したレベルに応じて前記信号増幅の機能を制御する、
ことを特徴とする光増幅器の増幅機能自動制御方法。
【請求項１３】
増幅する信号波長の帯域外に波長を有する監視光を出力光導波路の光出力方向に合波し、
前記出力光導波路からの前記監視光のフレネル反射光を分波し、
分波した前記フレネル反射光のレベルを前記監視光の出力レベルで除した比を検出し、
前記レベル比に応じて前記信号増幅の機能を制御する、
ことを特徴とする光増幅器の増幅機能自動制御方法。
【請求項１４】
制御する前記信号光増幅の機能が、
前記光増幅の停止及び再起動である、
ことを特徴とする請求項１１または１３のいずれかに記載の光増幅器の増幅機能自動制御方法。
【請求項１５】
前記検出したレベルまたは前記レベル比が第１の所定の値を超えた時、前記増幅を停止し、
前記検出したレベルまたは前記レベル比が第２の所定の値を下回った時、前記増幅を再起動する、
ことを特徴とする請求項１１または１３のいずれかに記載の光増幅器の増幅機能自動制御方法。
【請求項１６】
前記監視光は、
変調を受けており、
前記フレネル反射光のレベルまたは前記レベル比は、
前記フレネル反射光の光電変換信号を前記変調の周波数帯域でフィルタリングして透過する電気的フィルタを通して検出される、
ことを特徴とする請求項１１乃至１５のいずれかに記載の光増幅器の増幅機能自動制御方法。
【請求項１７】
前記監視光の光源は、
半導体レーザである、
ことを特徴とする請求項１１乃至１６のいずれかに記載の光増幅器の増幅機能自動制御方法。
【請求項１８】
前記監視光の光源は、
前記光増幅器への入力光信号から分波して抽出した前記光信号が占有する波長帯域外の波長有した光信号である、
ことを特徴とする請求項１１乃至１６のいずれかに記載の光増幅器の増幅機能自動制御方法。
【請求項１９】
光増幅器の制御装置であって、
増幅する信号波長の帯域外に波長を有する監視光を出力光導波路の光出力方向に合波し、前記出力光導波路からの前記監視光のフレネル反射光を分波する手段と、
分波した前記フレネル反射光を検出し、前記信号増幅の機能を制御する手段、
を備えることを特徴とする光増幅器の制御装置。
【請求項２０】
光増幅器の制御装置であって、
増幅する信号波長の帯域外に波長を有する監視光を出力光導波路の光出力方向に合波し、前記出力光導波路からの前記監視光のフレネル反射光を分波する手段と、
分波した前記フレネル反射光のレベルを検出する手段と、
前記検出したレベルに応じて前記信号増幅の機能を制御する手段、
を備えることを特徴とする光増幅器の制御装置。
【請求項２１】
光増幅器の制御装置であって、
増幅する信号波長の帯域外に波長を有する監視光を出力光導波路の光出力方向に合波し、前記出力光導波路からの前記監視光のフレネル反射光を分波する手段と、
分波した前記フレネル反射光のレベルを前記監視光の出力レベルで除した比を検出する手段と、
前記レベル比に応じて前記信号増幅の機能を制御する手段、
を備えることを特徴とする光増幅器の制御装置。
【請求項２２】
制御する前記信号光増幅の機能が、
前記光増幅の停止及び再起動である、
ことを特徴とする請求項１９乃至２１のいずれかに記載の光増幅器の制御装置。
【請求項２３】
前記検出したレベルまたは前記レベル比が第１の所定の値を超えた時、前記増幅を停止し、
前記検出したレベルまたは前記レベル比が第２の所定の値を下回った時、前記増幅を再起動する、
ことを特徴とする請求項１９乃至２１のいずれかに記載の光増幅器の制御装置。
【請求項２４】
前記監視光は、
変調を受けており、
前記フレネル反射光のレベルを検出する手段が、
前記フレネル反射光の光電変換信号を前記変調の周波数帯域でフィルタリングして透過する電気的フィルタを備える、
ことを特徴とする請求項１９乃至２３のいずれかに記載の光増幅器の制御装置。
【請求項２５】
前記監視光の光源は、
半導体レーザである、
ことを特徴とする請求項１９乃至２４のいずれかに記載の光増幅器の制御装置。
【請求項２６】
前記監視光の光源は、
前記光増幅器への入力光信号から分波して抽出した前記光信号が占有する波長帯域外の波長有した光信号である、
ことを特徴とする請求項１９乃至２４のいずれかに記載の光増幅器の制御装置。
【請求項２７】
請求項１乃至１０のいずれかに記載の光増幅器を備えることを特徴とする光通信装置。
【請求項２８】
請求項１乃至１０のいずれかに記載の光増幅器を備えることを特徴とする光伝送システム。
【発明の詳細な説明】
【技術分野】
【０００１】
本発明は、光増幅器に関し、とくに監視光による反射光検出を常時行って、光増幅器出力光の自動停止及び解除を自動制御する方法を備えた光増幅器およびこれを用いた光伝送システムに関する。
【背景技術】
【０００２】
光増幅器の出力光は高出力であるため、コネクタ外れなどによる出力光ファイバ端面からの反射光が検出されると、警報が発出され、シャットダウンする安全システムが施されている。これは誤って光コネクタや光コードの先端部を作業者が覗きこんだ場合、眼に障害を起こす危険性があるためである。
特許文献１等に開示されている従来の反射光検出方法を図７に示す。光増幅器１０１の出力光はカプラ１０２を経て、出力コネクタ１０３から出力される。出力コネクタ１０３が外れた場合、出力光が光コネクタ端面で反射されて、光増幅器１０１に戻ってくる。カプラ１０２内には、反射光を取り出す分岐路があり、ここで分岐された反射光をフォトダイオードＰＤ１０４が受光し、パワーをモニタする。モニタされたパワーが所定のレベルより大となった場合に、検出器１０５から光増幅器１０１へ出力停止信号１０６が送られ、光増幅器１０１の出力が停止される。
この光増幅器出力のコネクタ端面からの反射光をモニタする構成では、光増幅器１０１からの出力光が強制停止されると、端面からの反射光が無くなるため、光増幅器の停止状態は機械的に解除され再び増幅光が出力されることになる。このため、作業者に思わぬ危害が加わる恐れがある。
光増幅器の安全のための制御回路は、コネクタからの反射が起きていなくても、反射警報の発出をラッチし続けるような判定ロジックにしておく必要がある。また、シャットダウンの解除は、無人によるのではなく、人手によって光コネクタが正しく接続されたことを確認した後警報を解除し、光増幅器を再起動するような手順マニュアルを設けておく必要がある。
そこで、出力コネクタ外れを自動的に検出して光増幅器のシャットダウンを行い、反射警報を発出する原因が取り除かれた後、自動的にシャットダウンを解除する機能が求められる。
【０００３】
光増幅器が停止状態であっても光コネクタが接続されたことを確実に確認する方法として、信号光とは別に半導体レーザ光を監視光として挿入する光増幅器が、特許文献２に開示されている。光コネクタから反射して戻る光増幅器出力光レベルを受光器がモニタし、出力光ケーブルの光コネクタ外れを検出して、光増幅器をシャットダウンする。その後、光分岐素子を介して監視光を出力光ケーブルに注入する。光分岐素子を通して監視光の光コネクタからの反射光をモニタ受光器が受光し、その強度低下を確認した後に光増幅器を自動的に再起動する。
【０００４】
【特許文献１】特開平８−２９３８３５号公報（第４−５頁、図１）
【特許文献２】特開平６−３０２８９０号公報（第４−５頁、図１）
【発明の開示】
【発明が解決しようとする課題】
【０００５】
しかしながら、特許文献２に開示されている光増幅器では、モニタ受光器は光増幅器出力光と監視光の両方を受光する必要がある。このため、分岐特性に波長依存性の少ない光分岐素子を信号光のモニタや監視光の挿入及びモニタのために備える必要があって、信号光である光増幅器出力光や監視光に損失をもたらす。
また、モニタ受光器は、高レベルの光増幅器出力光と低レベルの監視光の両方を受光できる広いダイナミックレンジを備える必要があり、装置コストが高くなる。若しくは、監視光出力を光増幅器出力と同レベルに設定する必要があり、出力の高い監視光によるレーザハザードを受ける可能性がある。過負荷をかけることは監視光用半導体レーザの劣化を早めることに繋がる。
このように出力光コネクタ外れの検出と再起動を自動的に行う従来の方法には難点がある。
本発明は、上記の光増幅器の持つ難点に鑑みて成されたものである。その目的とするところは、主信号光に損失を与えず、監視光に高い出力レベルやモニタ受光器に広いダイナミックレンジを必要とせずに、出力コネクタ外れを自動的に検出して光増幅器のシャットダウンを行い、障害の原因が取り除かれた後、自動的にシャットダウンを解除して再起動する自動制御方法、およびこれを備えた光増幅器並びに光伝送システムを提供することにある。
【課題を解決するための手段】
【０００６】
上記の課題を解決するために、本発明の光増幅器は、出力光導波路からのフレネル反射光を検出するために、増幅する信号波長の帯域外に波長を有する監視光を出力導波路の光出力方向に合波する手段を備えることを特徴とする。
また、本発明の光増幅器は、増幅する信号波長帯域外の波長を有する監視光を出力光導波路の光出力方向に合波し、出力光導波路からの監視光のフレネル反射光を分波する手段を備えることを特徴とする。
また、本発明の光増幅器は、増幅する信号波長の帯域外に波長を有する監視光を出力光導波路の光出力方向に合波し、出力光導波路からの監視光のフレネル反射光を分波する手段と、分波したフレネル反射光を検出し、信号増幅の機能を制御する手段を備えることを特徴とする。
また、本発明の光増幅器は、増幅する信号波長の帯域外に波長を有する監視光を出力光導波路の光出力方向に合波し、出力光導波路からの監視光のフレネル反射光を分波する手段と、分波したフレネル反射光のレベルを検出する手段と、検出したレベルに応じて信号増幅の機能を制御する手段を備えることを特徴とする。
また、本発明の光増幅器は、増幅する信号波長の帯域外に波長を有する監視光を出力光導波路の光出力方向に合波し、出力光導波路からの監視光のフレネル反射光を分波する手段と、分波したフレネル反射光のレベルを監視光の出力レベルで除した比を検出する手段と、レベル比に応じて信号増幅の機能を制御する手段を備えることを特徴とする。
制御する信号光増幅の機能は、光増幅の停止及び再起動であってもよい。
検出したレベルまたはレベル比が第１の所定の値を超えた時、増幅を停止し、検出したレベルまたはレベル比が第２の所定の値を下回った時、増幅を再起動してもよい。
監視光は、変調を受けており、フレネル反射光のレベルまたはレベル比を検出する手段が、フレネル反射光の光電変換信号を変調の周波数帯域でフィルタリングして透過する電気的フィルタを備えてもよい。
監視光の光源は、半導体レーザであってもよい。
監視光の光源は、光増幅器への入力光信号から分波して抽出した光信号が占有する波長帯域外の波長有した光信号であってもよい。
【０００７】
また、本発明の光増幅器の増幅機能自動制御方法は、増幅する信号波長の帯域外に波長を有する監視光を出力光導波路の光出力方向に合波し、前記出力光導波路からの前記監視光のフレネル反射光を分波し、分波した前記フレネル反射光のレベルを検出して前記信号増幅の機能を制御することを特徴とする。
また、本発明の光増幅器の増幅機能自動制御方法は、増幅する信号波長の帯域外に波長を有する監視光を出力光導波路の光出力方向に合波し、出力光導波路からの監視光のフレネル反射光を分波し、分波したフレネル反射光のレベルを検出し、検出したレベルに応じて信号増幅の機能を制御することを特徴とする。
また、本発明の光増幅器の増幅機能自動制御方法は、増幅する信号波長の帯域外に波長を有する監視光を出力光導波路の光出力方向に合波し、出力光導波路からの監視光のフレネル反射光を分波し、分波したフレネル反射光のレベルを監視光の出力レベルで除した比を検出し、レベル比に応じて信号増幅の機能を制御することを特徴とする。
制御する信号光増幅の機能は、光増幅の停止及び再起動であってもよい。
検出したレベルまたはレベル比が第１の所定の値を超えた時、増幅を停止し、検出したレベルまたはレベル比が第２の所定の値を下回った時、増幅を再起動してもよい。
監視光は、変調を受けており、フレネル反射光のレベルまたはレベル比は、フレネル反射光の光電変換信号を変調の周波数帯域でフィルタリングして透過する電気的フィルタを通して検出されてもよい。
監視光の光源は、半導体レーザであってもよい。
監視光の光源は、光増幅器への入力光信号から分波して抽出した光信号が占有する波長帯域外の波長有した光信号であってもよい。
【０００８】
また、本発明の光増幅器の制御装置は、増幅する信号波長の帯域外に波長を有する監視光を出力光導波路の光出力方向に合波し、前記出力光導波路からの前記監視光のフレネル反射光を分波し、分波した前記フレネル反射光のレベルを検出して前記信号増幅の機能を制御することを特徴とする。
また、本発明の光増幅器の制御装置は、増幅する信号波長の帯域外に波長を有する監視光を出力光導波路の光出力方向に合波し、出力光導波路からの監視光のフレネル反射光を分波し、分波したフレネル反射光のレベルを検出し、検出したレベルに応じて信号増幅の機能を制御することを特徴とする。
また、本発明の光増幅器の制御装置は、増幅する信号波長の帯域外に波長を有する監視光を出力光導波路の光出力方向に合波し、出力光導波路からの監視光のフレネル反射光を分波し、分波したフレネル反射光のレベルを監視光の出力レベルで除した比を検出し、レベル比に応じて信号増幅の機能を制御することを特徴とする。
制御する信号光増幅の機能は、光増幅の停止及び再起動であってもよい。
検出したレベルまたはレベル比が第１の所定の値を超えた時、増幅を停止し、検出したレベルまたはレベル比が第２の所定の値を下回った時、増幅を再起動してもよい。
監視光は、変調を受けており、フレネル反射光のレベルまたはレベル比は、フレネル反射光の光電変換信号を変調の周波数帯域でフィルタリングして透過する電気的フィルタを通して検出されてもよい。
監視光の光源は、半導体レーザであってもよい。
監視光の光源は、光増幅器への入力光信号から分波して抽出した光信号が占有する波長帯域外の波長有した光信号であってもよい。
また本発明の光通信装置は、上記いずれかに記載の光増幅器を備えることを特徴とする。
また本発明の光伝送システムは、上記いずれかに記載の光増幅器を備えることを特徴とする。
【発明の効果】
【０００９】
本発明の光増幅器によれば、出力光導波路からのフレネル反射光を検出するために、増幅する信号波長の帯域外に波長を有する監視光を出力導波路の光出力方向に合波する手段を備える。このため、光増幅器の稼働・停止に拘わらず、出力光導波路のフレネル反射光を常時検出することができる。
また、本発明の光増幅器の増幅機能自動制御方法及び制御装置は、増幅する信号波長の帯域外に波長を有する監視光を出力光導波路の光出力方向に合波する。そして、出力光導波路からの監視光のフレネル反射光を分波し、分波したフレネル反射光のレベルを検出して信号増幅の機能を制御する。このため反射光が発生していても、自動で停止および復旧することができる。
【発明を実施するための最良の形態】
【００１０】
本発明の実施の形態について図面を参照して説明する。
［実施例１］
図１は、本発明の第１の実施例の構成を示す図である。図１において、レーザダイオードＬＤ７から出力された監視光は、カプラ４−１を経て、光増幅器１からの信号光出力と合波／分波フィルタ２で合波される。このＬＤ７は光増幅器１の増幅帯域外の波長の光を常に出力し続けている。合波／分波フィルタ２で合波された光は、出力コネクタ３を通じて出力される。フォトダイオードＰＤ５−１は、ＬＤ７の出力コネクタ３からのフレネル反射光を光電変換する。レベル検出器６−１は、ＰＤ５−１の出力を検知し、その出力が所定のレベルを超えた場合に出力停止信号８を光増幅器１に出力する。また、ＰＤ５−１の出力が上記のレベルまたは別に定めた所定のレベルを下回った場合には、出力停止信号の出力を停止するかまたは再起動の信号を出力する。
カプラ４−１は、導波路型方向性結合器や誘電体多層膜や金属半透膜を使ったバルク型の光分岐素子を用いることができる。また、光サーキュレータを用いると監視光の損失は低下する。
また、光分岐素子を用いた場合には、光増幅器１やＬＤ７への反射戻り光を防ぐために、合波／分波フィルタ２と光増幅器との間やカプラ４−１とＬＤ７との間に、必要に応じて光アイソレータを配設してもよい。
【００１１】
次に図１の動作を説明する。図１において、出力コネクタ３が外れるなどして、端面で反射が起きたとする。この時、反射光は合波／分波フィルタ２でＬＤ７の出力波長の光だけが分岐されて、カプラ４−１に入射される。このカプラ４−１を経て、ＰＤ５−１で反射光を受光する。受光パワーがある閾値を超えると、検出器６−１から光増幅器１へ出力停止信号８が出力される。光増幅器１は、励起用レーザ停止して信号光の増幅出力を停止する。
光増幅器１からの出力光は停止しているが、ＬＤ７からの光は常に出力されているので、この時もコネクタ３での反射は起きている。コネクタ外れによる反射原因がある限り、ＰＤ５−１は反射光を受光し続けている。出力コネクタ３が正常に接続されて、反射原因が除去されると、ＬＤ７からの光はコネクタ端面で反射しないので、ＰＤ５−１で受けていた反射光のパワーも落ちてくる。そのパワーが所定の閾値を下回ると、検出器６−１から光増幅器１へ出力停止信号８が出力されなくなり、光増幅器１の光増幅は自動的に再開される。
【００１２】
本実施例においては、以下に記載するような効果を奏する。
第１の効果は、光コネクタ外れによってコネクタ端面で反射光が発生していても、光増幅器の増幅動作を自動で停止および復旧することができるので、作業者の安全性を確保できる。
第２に、監視光であるＬＤの発振波長を光増幅器の増幅帯域外の波長に選び、合波／分波フィルタによって信号光との合波／分波を行っているため、信号光や監視光の損失が少ない。このため、分岐素子によって信号光と監視光を合流／分離する従来の方式に比べて、ＰＤ５−１やＬＤ７へ過度な負担が掛からず、装置の信頼性が高まる。
【００１３】
［実施例２］
本発明の第２の実施例として、その基本的構成は上記の第１の実施例と同様であるが、反射光の検出方法についてさらに工夫している。その構成を図２に示す。
図２において、光増幅器１からの出力光とＬＤ７からの出力光を合波／分波フィルタ２で合波する。出力コネクタ３が外れるなどして、コネクタ端面で反射が起きたとする。この時、反射光は合波／分波フィルタ２でＬＤ７の出力波長の光だけが分波されて、カプラ４−２に入射される。このカプラ４−２を経て、ＰＤ５−３で反射光を受けて、そのパワーをモニタする。また、ＰＤ５−２でＬＤ７から出力される光のパワーをモニタしている。このとき、比較検出器６−２ではＬＤ出力光とコネクタ端面からの反射光とを比較することによって、コネクタ端面が反射状態であると判断し、出力停止信号８を光増幅器１に出力し、これによって光増幅器１の出力は停止する。
光増幅器１からの出力光は停止しているが、ＬＤ７からの光は常に入力されているので、この時も反射は起きていて、反射原因がある限り、ＰＤ５−３は反射光を受け続けている。出力コネクタ３を正常に接続して、反射原因を除去すると、ＬＤ７からの光は反射しないので、ＰＤ５−３で受けていた反射光のパワーも落ちてくる。反射光レベルとＬＤ出力光レベルとの比較結果がある閾値を下回ると、比較検出器６−２から光増幅器１へ出力停止信号８が出力されなくなり、光増幅器１の出力が自動的に再開される。
【００１４】
ＬＤ７が劣化して出力パワーが低下したとき、コネクタ端面での反射が起きても第１の実施例の構成ではＰＤ５−１で受けていた反射光のパワーが低くなり、反射状態として検出されない恐れがある。そこで本実施例の構成を採ることによって、入射光と反射光の比較値を見ることで、反射状態を正確に検出することができる。
また、反射光の検知精度が高まるため、コネクタ外れのように比較的反射レベルが高い障害だけではなく、光ファイバの折損のように折点における反射光の反射レベルが小さいような伝送路障害も監視できる可能性がある。
なお、カプラ４−２は、導波路型方向性結合器や誘電体多層膜や金属半透膜を使ったバルク型の光分岐素子を用いることができる。また、光サーキュレータと光分岐素子とを合わせて用いるとLD光、反射光へのカプラ４−２の挿入損失は低下する。
【００１５】
［実施例３］
図３に第３の実施例を示す。ＬＤ７の光に光変調器１０で変調をかけた出力光と、光増幅器１からの信号光出力を合波／分波フィルタ２で合波する。出力コネクタ３が外れるなどして、反射が起きたとする。この時、反射光は合波／分波フィルタ２でＬＤ７の出力波長の光だけが分波されて、カプラ４−１に入射する。このカプラ４−１を経て、反射光はＰＤ５−１で電気変換され、帯域通過型の電気フィルタ９−１によって変調周波数成分が抽出される。その振幅レベルをモニタし、反射レベルを検出する。そのレベルがある閾値を超えると、検出器６−１から光増幅器１へ出力停止信号８が出力され、光増幅器１は出力を停止する。
光増幅器１からの出力光は停止しているが、ＬＤ７からの光は常に入力されているので、この時も反射は起きていて、反射原因がある限り、ＰＤ５−１は反射光を受け続けている。出力コネクタ３を正常に接続して、反射原因を除去すると、ＬＤ７からの光は反射しないので、ＰＤ５−１で受けていた反射光のパワーも落ちてくる。そのパワーがある閾値を下回ると、検出器６−１から光増幅器１へ出力停止信号８が出力されなくなり、光増幅器１の出力が自動的に再開される。
本実施例では、監視光に特定の変調信号を重畳することによって、ＰＤ５−１や検出器６−１のアナログ回路が受ける電磁干渉雑音の影響を除去することができ、安定した監視光検出が可能となる。
なお、光変調器を用いずに、ＬＤ駆動電流に電気的に変調信号を重畳しても同じ効果が得られる。
【００１６】
［実施例４］
次に、図４に第４の実施例を示す。ＬＤ７の出力光に光変調器１０で変調をかけた出力光と、光増幅器１からの出力光を合波／分波フィルタ２で合波する。出力コネクタ３が外れるなどして、反射が起きたとする。この時、反射光は合波／分波フィルタ２でＬＤ７の出力波長の光だけが分波されて、カプラ４−２に入射される。ＬＤ入射光とコネクタ端面反射光をそれぞれＰＤ５−２、５−３で受け、電気変換後の信号から帯域通過の電気的フィルタ９−２、９−３によって変調周波数成分を抽出し、それぞれの振幅レベルをモニタし、反射レベルを検出する。その比較値がある閾値を超えると、比較検出器６−２から光増幅器１へ出力停止信号８が入力され、光増幅器１は出力を停止する。
光増幅器１からの出力光は停止しているが、ＬＤ７からの光は常に出力されているので、この時も反射は起きていて、反射原因がある限り、ＰＤ５−３は反射光を受け続けている。
出力コネクタ３を正常に接続して、反射原因を除去すると、ＬＤ７からの光は反射しないので、ＰＤ５−３で受けていた反射光のパワーも落ちてくる。そのパワー比較値がある閾値を下回ると、比較検出器６−２から光増幅器１へ出力停止信号８が出力されなくなり、光増幅器１の出力が自動的に再開される。
【００１７】
本実施例の構成を採ることによって、入射光と反射光の比較値を見ることで、反射状態を正確に検出することができる。また、反射光の検知精度が高まるため、コネクタ外れのように比較的反射レベルが高い障害だけではなく、光ファイバの折損のように折点における反射光の反射レベルが小さいような伝送路障害も監視できる可能性がある。
また、監視光に特定の信号を変調または重畳することによって、ＰＤ５−２、５−３や比較検出器６−２のアナログ回路が受ける電磁干渉雑音の影響を除去することができ、安定した監視光検出が可能となる。
変調は、光の強度変調、周波数変調、位相変調のいずれでのよい。強度変調であれば、光変調器を用いずに、ＬＤ駆動電流を電気的に変調またはＬＤ駆動電流に高周波信号を重畳しても同じ効果が得られる。
【００１８】
［実施例５］
さらに、図５に本発明の第５の実施例を示す。これは波長多重伝送システムの光増幅器１において、システム監視信号光１１を用いて反射光を検出する方法である。これは反射モニタ用ＬＤの代わりにシステム監視信号光１１を用いているため、コストを削減できる。
図６は双方向波長多重伝送システムの構成ブロックを示す。端局装置Ａ１３と端局装置Ｂ１４の間に複数の中継装置１５を介して波長多重信号が双方向に伝送される。端局装置及び中継装置は、装置間の管理情報や監視情報を主信号１００とは異なる波長でシステム監視信号光として波長多重された主信号に多重して送出している。ＯＳＣ１６は、前段の装置からの光信号から受信システム監視信号光１２を分波して受信し、自装置の管理情報や監視情報を加えて新たな送信システム監視信号光１１を光増幅器の出力に合波して送出する。
【００１９】
図５の第４の実施例に戻る。光増幅器１からの出力光とシステム監視信号光１１を合波／分波フィルタ２で合波する。出力コネクタ３が外れるなどして、反射が起きたとする。この時、反射光は合波／分波フィルタ２でシステム監視信号光１１の出力波長の光だけが分岐されて、カプラ４−１に入射される。このカプラ４−１を経て、ＰＤ５−１で反射光を受け、そのパワーをモニタする。そのパワーがある閾値を超えると、検出器６−１から光増幅器１へ出力停止信号８が出力され、光増幅器１は出力を停止する。光増幅器１からの出力光は停止しているが、システム監視信号光１１からの光は常に入力されているので、この時も反射は起きていて、反射原因がある限り、ＰＤ５−１は反射光を受け続けている。
出力コネクタ３を正常に接続して、反射原因を除去すると、システム監視信号光１１からの光は反射しないので、ＰＤ５−１で受けていた反射光のパワーも落ちてくる。そのパワーがある閾値を下回ると、検出器６−１から光増幅器１へ出力停止信号８が出力されなくなり、光増幅器１の出力が自動的に再開される。
【００２０】
上記の説明では、実施例１のＬＤ７をシステム監視信号光１１で置き換えた場合について説明したが、実施例２〜４のＬＤを置き換えた場合であっても有効に動作する。
【図面の簡単な説明】
【００２１】
【図１】本発明の第１の実施例の構成を示す図である。
【図２】本発明の第２の実施例の構成を示す図である。
【図３】本発明の第３の実施例の構成を示す図である。
【図４】本発明の第４の実施例の構成を示す図である。
【図５】本発明の第５の実施例の構成を示す図である。
【図６】本発明の第５の実施例が適用される波長多重伝送システムの構成を示す図である。
【図７】従来の光増幅器の構成を示す図である。
【符号の説明】
【００２２】
１    光増幅器
２    合波／分波フィルタ
３    出力コネクタ
４    カプラ
５    ＰＤ
６    検出器
７    ＬＤ
８    出力停止信号
９    フィルタ
１０    変調器
１１    システム監視信号光
１２    システム監視信号光
１３    端局装置Ａ
１４    端局装置Ｂ
１５    中継装置
１６    ＯＳＣ
１００    主信号
１０１    光増幅器
１０２    カプラ
１０３    出力コネクタ
１０４    ＰＤ
１０５    検出器
１０６    出力停止信号
【図１】
2006032417.tif 000003
【図２】
2006032417.tif 000004
【図３】
2006032417.tif 000005
【図４】
2006032417.tif 000006
【図５】
2006032417.tif 000007
【図６】
2006032417.tif 000008
【図７】
2006032417.tif 000009